(57)【要約】【課題】  優先度が高い信号と低い信号が入力された場合に、優先度を維持しつつ、いずれの信号に対しても信号に応じた制御を実施する。【解決手段】  ショート検出回路２６の検出信号を優先するプライオリティエンコーダ２８と、プライオリティエンコーダ２８の出力を復号化するＢＣＤデコーダ２９と、各信号をプライオリティエンコーダ２８に入力するマスク回路２７と、ＢＣＤデコーダ２９の出力信号を保持、及びリセットするためのフリップフロップ回路と３０を備え、プライオリティエンコーダ２８は、ショート検出回路２６が検出信号を出力したら、電源供給回路３１をオフさせる信号を優先出力し、マスク回路２７はショート検出信号が入力中であっても、フリップフロップ回路３０の出力信号を受けてショート検出信号をマスクし、他のセンサから信号を受けたら信号を出力して警報発報動作する。【選択図】  図１
2010109900.tif 000002
【特許請求の範囲】
【請求項１】
カメラ付子機とモニタ付親機とを備え、前記モニタ付親機には防犯センサや生活異変センサ等の複数の異常検出手段と、火災感知器等の非常検出手段とが接続されたテレビドアホン装置において、
前記モニタ付親機は、前記カメラ付子機に電源を供給する電源供給回路と、
前記カメラ付子機と前記モニタ付親機との間に配設した伝送線のショートを検出するショート検出回路と、
前記異常検出手段、前記非常検出手段、前記ショート検出回路の各検出信号に対して所定の優先度制御を実施するプライオリティエンコーダと、
前記プライオリティエンコーダの出力を復号化するＢＣＤデコーダと、
前記異常検出手段、前記非常検出手段、前記ショート検出回路の出力信号を、前記プライオリティエンコーダに入力するマスク回路と、
前記ＢＣＤデコーダの出力信号を保持、及びリセットするためのフリップフロップ回路とを備え、
前記プライオリティエンコーダは、前記ショート検出回路がショート検出信号を出力したら、前記電源供給回路をオフさせる信号を優先信号として出力すると共に、
前記マスク回路は、前記ショート検出信号が入力中であっても、前記フリップフロップ回路の出力信号を受けて前記ショート検出信号をマスクし、前記異常検出手段或いは前記非常検出手段が検出動作したら、警報発報のための信号を前記プライオリティエンコーダに出力することを特徴とするテレビドアホン装置。
【請求項２】
前記モニタ付親機は、前記異常検出手段或いは前記非常検出手段からの検出信号を受けて警報音を報音する報音部を有すると共に、警報音を停止させる警報音復旧スイッチを有し、前記警報音復旧スイッチは、フリップフロップ回路のリセット端子に接続されることを特徴とする請求項１記載のテレビドアホン装置。
【発明の詳細な説明】
【技術分野】
【０００１】
本発明は、カメラ付子機とモニタ付親機を備えて来訪者を画像で確認しながら通話できるテレビドアホン装置に関し、特に、モニタ付親機は火災感知器等が接続されたテレビドアホン装置に関する。
【背景技術】
【０００２】
従来より、セキュリティ機能を向上させるためにカメラ付子機とモニタ付親機とを備えて、来訪者を画像で確認しながら応答できるテレビドアホン装置がある。このように玄関子機にカメラを備えた場合、カメラを駆動するための電源が必要となるが、玄関子機周辺には電源を採るような場所がないため、通常はモニタ付親機との間に配設された通信のための伝送線を介してモニタ付親機から供給されるよう構成されている。
そのため、テレビドアホン装置の場合は、この伝送線においてショートが発生すると火災に至る危険性があるため、ショートが発生したらモニタ付親機からカメラ付子機への電力の供給を停止する回路がモニタ付親機に設けられ、この検知動作は最も高い優先順位で実施された（例えば、特許文献１参照）。
【０００３】
また、近年セキュリティの向上のために、テレビドアホン装置に火災感知器等のセキュリティ機器が接続され、火災等を感知したらモニタ付親機から警報音を発報するよう構成されたものがある（例えば、特許文献２参照）。
ところが、テレビドアホン装置の場合、モニタ付親機とカメラ付子機を接続する伝送線にショートが発生すると、モニタ付親機において電源の供給を止める操作が安全上最も高い優先度で実施されるため、例えばモニタ付親機に接続されている火災感知器が動作しても、ショートを検知した状態では警報動作を実施しなかった。
【０００４】
図２は、このように構成された従来のテレビドアホン装置の回路構成の一例を示している。以下、この図２を基に従来の優先制御の流れを具体的に説明する。尚、図２において、４０はカメラ付子機、４１はモニタ付親機、Ｌ２はカメラ付子機４０とモニタ付親機４１との間に配設された伝送線であり、モニタ付親機４１には第１センサ（人感センサ等で構成される防犯センサや水量センサ等で構成される生活異変センサ）４３、住宅火災警報器（住警器）４５が接続された状態を示している。
【０００５】
モニタ付親機４１は、プライオリティエンコーダ４７、ＢＣＤデコーダ４８、伝送線Ｌ２のショートを検出するショート検出回路４９、カメラ付子機４０へ電源を供給する電源供給回路５０、電源供給回路５０の出力をオン／オフする電源スイッチ回路５１、第１センサ４３を接続する第１センサＩＦ５２、住警器４５を接続する住警器ＩＦ５４等を備え、ショート検出回路４９、第１センサＩＦ５２、第２センサＩＦ５３、住警器ＩＦ５４はプライオリティエンコーダ４７に信号を出力し、プライオリティエンコーダ４７はＢＣＤデコーダ４８に信号を出力するよう構成されている。
【０００６】
プライオリティエンコーダ４７は、各種入力信号に対してショート検出回路４９の検出信号を最優先するよう予め設定された真理値表に従って信号を出力するよう構成され、ショート検出回路４９から信号を受けた場合は他の信号状態に拘わらず、ＢＣＤデコーダ４８から電源オフ信号が出力され、電源スイッチ回路５１がオフ動作してカメラ付子機４０への電源の供給が停止される。そして、他の信号の入力はキャンセルされる。
【０００７】
この場合、プライオリティエンコーダ４７に設定された優先順位は、例えば表１に示す真理値表のよう設定され、ショート検出の優先度が一番高く設定されている。そのため、ショート検出回路４９が動作中の時に、第１センサ４３、第２センサ４４、住警器４５の何れかが検知動作してプライオリティエンコーダ４７に信号が出力されても、プライオリティエンコーダ４７の出力は変化しない。
【０００８】
但し、伝送線Ｌ２上でショートが発生していない場合に、例えば第１センサ４３が検知動作した場合、第１センサＩＦ５２を介して、プライオリティエンコーダ４７に信号が入力され、ＢＣＤデコーダ４８にてデコードされた出力は、警報音発生回路５６を起動させてスピーカ５７から警報音を出力する。この警報音は、警報音復旧スイッチ５８を押下することによって停止することができる。
【０００９】
【特許文献１】特開２００２−１１２２５１号公報
【特許文献２】特開２００１−８６４８９号公報
【発明の開示】
【発明が解決しようとする課題】
【００１０】
上述したように、従来のテレビドアホン装置は、センサの検知動作による警報発報よりもショート検出信号出力の優先度が高い為、電線の経年劣化、誤結線、メンテナンス時の手違い等でショートが発生した場合、速やかに電源の供給が停止されるが、その停止している間はセンサ動作による発報信号は出力されなかった。
しかし、カメラ付子機４０とモニタ付親機４１の間の伝送線Ｌ２がショートしても、カメラ付子機４０に供給する電源を速やかに停止させれば安全上問題なく、モニタ付親機４１自体の動作を継続させても良い。即ち、センサからの信号を受けたら警報を発する動作を継続させても良い。
【００１１】
そこで本発明は、優先度が高い信号と低い信号が入力された場合に、優先度を維持しつつ、いずれの信号に対しても信号に応じた制御を実施するテレビドアホン装置を提供することを目的としている。
【課題を解決するための手段】
【００１２】
上記課題を解決する為に、請求項１の発明は、カメラ付子機とモニタ付親機とを備え、モニタ付親機には防犯センサや生活異変センサ等の複数の異常検出手段と、火災感知器等の非常検出手段とが接続されたテレビドアホン装置において、モニタ付親機は、カメラ付子機に電源を供給する電源供給回路と、カメラ付子機とモニタ付親機との間に配設した伝送線のショートを検出するショート検出回路と、異常検出手段、非常検出手段、ショート検出回路の各検出信号に対して所定の優先度制御を実施するプライオリティエンコーダと、プライオリティエンコーダの出力を復号化するＢＣＤデコーダと、異常検出手段、非常検出手段、ショート検出回路の出力信号を、プライオリティエンコーダに入力するマスク回路と、ＢＣＤデコーダの出力信号を保持、及びリセットするためのフリップフロップ回路とを備え、プライオリティエンコーダは、ショート検出回路がショート検出信号を出力したら、電源供給回路をオフさせる信号を優先信号として出力すると共に、マスク回路は、ショート検出信号が入力中であっても、フリップフロップ回路の出力信号を受けてショート検出信号をマスクし、異常検出手段或いは非常検出手段が検出動作したら、警報発報のための信号をプライオリティエンコーダに出力することを特徴とする。
【００１３】
この構成によれば、ショートを検出した場合の制御の優先度が一番高いので、テレビドアホン装置がどんな制御状態であっても、伝送線上でショートが発生したら確実に然も速やかに電源の遮断動作を行う。そして、マスク回路がその信号をマスク処理するので、他の優先順位の低い信号に対しても所定の制御を実施することができる。よって、ショート検出が継続中であって電源の停止制御を継続させながら、センサ動作による警報音の鳴動も実施することができ、いずれの信号に対しても信号に応じた制御を引き続き実施し、セキュリティを維持できる。
【００１４】
請求項２の発明は、請求項１に記載の発明において、モニタ付親機は、異常検出手段或いは非常検出手段からの検出信号を受けて警報音を報音する報音部を有すると共に、警報音を停止させる警報音復旧スイッチを有し、警報音復旧スイッチは、フリップフロップ回路のリセット端子に接続されることを特徴とする。
この構成によれば、ＣＰＵを使用すること無く警報音を停止して復旧操作ができ、安価に構成できる。
【発明の効果】
【００１５】
本発明によれば、ショートを検出した場合の制御の優先度が一番高いので、テレビドアホン装置がどんな制御状態であっても、伝送線上でショートが発生したら確実に然も速やかに電源の遮断動作を行う。そして、マスク回路がその信号をマスク処理するので、他の優先順位の低い信号に対しても所定の制御を実施することができる。よって、ショート検出が継続中であって電源の停止制御を継続させながら、センサ動作による警報音の鳴動も実施することができ、いずれの信号に対しても信号に応じた制御を引き続き実施し、セキュリティを維持できる。また、ＣＰＵを使用すること無く実施でき安価に構成できる。
【発明を実施するための最良の形態】
【００１６】
以下、本発明を具体化した実施の形態を、図面に基づいて詳細に説明する。図１は本発明に係るテレビドアホン装置の一例を示す構成図であり、要部を回路ブロックで示している。この図１において、１はカメラ付子機、２はモニタ付親機である。モニタ付親機２には、防犯センサや生活異変センサ等の第１センサ３、火災感知器を備えた住宅用火災警報器（住警器）５が接続されている。また、カメラ付子機１とモニタ付親機２は伝送線Ｌ１で接続されている。
【００１７】
カメラ付子機１は、通話するためのマイク８及びスピーカ９、マイク８が集音した音声を増幅するマイクアンプ８ａ、スピーカ９から報音させる音声を増幅するスピーカアンプ９ａ、来訪者を撮像するためのカメラ１０、映像信号を伝送線Ｌ１を介して送信可能な信号に変調する変調回路１１、モニタ付親機２と通信するための子機インターフェース（子機ＩＦ）１２等を備えている。
【００１８】
モニタ付親機２は、通話するためのマイク１５及びスピーカ１６、マイク１５が集音した音声を増幅するマイクアンプ１５ａ、スピーカ１６から報音させる音声を増幅するスピーカアンプ１６ａ、カメラ１０の撮像映像を表示するＬＣＤ１７、カメラ付子機１から伝送された映像信号をＬＣＤ１７に表示するために復調する復調回路１８、スピーカ１６から警報音を報音させるための警報音発生回路１９、警報音を停止する警報音復旧スイッチ２０、カメラ付子機１と通信するための親機インターフェース（親機ＩＦ）２１、第１センサ３が接続される第１センサインターフェース（第１センサＩＦ）２３、住警器５が接続される住警器インターフェース（住警器ＩＦ）２５、伝送線Ｌ１のショートを検出するショート検出回路２６、優先度の高い信号が入力した際にその信号をマスク処理するためのマスク回路２７、各種信号の入力に対して所定の優先の信号を出力するプライオリティエンコーダ２８、プライオリティエンコーダ２８の出力信号を復調処理するＢＣＤデコーダ２９、ＢＣＤデコーダ２９の出力信号を保持するフリップフロップ回路３０、カメラ付子機１へ電源を供給する電源供給回路３１、電源供給回路３１の出力をオン／オフする電源スイッチ回路３２等を備えている。
【００１９】
上記構成のテレビドアホン装置は次のように動作する。但し、カメラ付子機１の図示しない呼出ボタンを操作することでモニタ付親機２で呼出音が報音され、モニタ付親機２を所定の応答操作すると来訪者と居住者の間で通話が可能となる動作、更に呼出操作に連動してカメラ１０が起動してＬＣＤ１７に来訪者映像が表示される動作等は従来と同様であるため説明を省略し、ここでは伝送線Ｌ１上でショート（短絡）が発生した場合の動作を説明する。
【００２０】
先ず、プライオリティエンコーダ２８は、０〜３の４入力に対して表１に示す真理値表に従って信号Ａ０，Ａ１を出力するよう設定されている。
【００２１】
【表１】
2010109900.tif 000003
【００２２】
この設定状態で、センサ信号の入力がない待受状態の時に伝送線Ｌ１上でショートが発生すると、ショート検出回路２６がそれを検出して動作し、マスク回路２７にショート検出信号が出力される。一方で、モニタ付親機２が待受状態にあるとき、フリップフロップ回路３０のＤ１〜Ｄ４出力信号（Ｑ反転信号）は「１」の状態にあるため、ショート検出信号の入力を受けたマスク回路２７のアンド回路は信号「１」を出力する。こうして、プライオリティエンコーダ２８の３番入力端子に信号「１」が入力される。
【００２３】
表１の真理値表から、プライオリティエンコーダ２８の３番入力端子は最も優先順位の高い端子であり、真理値表に従って信号Ａ０が「１」，Ａ１が「１」としてＢＣＤデコーダ２９に出力される。ＢＣＤデコーダ２９は復号化した信号を出力し、フリップフロップ回路３０にてラッチされた信号が出力される。
こうして、ＢＣＤデコーダ２９の３番出力端子から「１」が出力され、フリップフロップ回路３０から電源オフ信号Ｓ１が出力され、電源スイッチ回路３２をオフしてその状態を保持する。その結果、カメラ付子機１への電源供給が停止し、その状態が保持される。
【００２４】
そして、「０」状態となったフリップフロップ回路３０のＱ反転信号Ｄ１は、マスク回路２７に入力される。こうして、プライオリティエンコーダ２８の３番入力端子の入力が「０」となり、優先制御は解除されて他の信号入力が許可される。
そのため、ショート検出回路２６がショートを検出した直後に、例えば住警器５から検知信号が入力されたら、マスク回路２７はプライオリティエンコーダ２８の２番入力端子に信号「１」を出力する。その結果、表１の真理値表に従い、出力Ａ０が「０」、出力Ａ１が「１」となり、ＢＣＤデコーダ２９の２番出力端子から「１」が出力される。即ち、警報発生信号Ｓ２が出力されて警報音発生回路１９が起動し、スピーカ１６から警報音が鳴動する。
尚、伝送線Ｌ１のショート状態が解消したときは、ＢＣＤデコーダ２９の３番出力端子に接続されたフリップフロップ回路３０のリセット端子にリセット信号が入力される。その結果、電源オフ信号Ｓ１の出力は停止される。
【００２５】
スピーカ１６から発せられる警報音は、警報音復旧スイッチ２０の操作で停止できる。警報音復旧スイッチ２０出力信号はフリップフロップ回路３０のリセット端子に入力されるよう構成され、警報音復旧スイッチ２０の操作により、フリップフロップ回路３０のセンサ３，５に関係する全てにリセット信号が入力される。その結果、警報発生信号は停止し、警報音が停止する。また、フリップフロップ回路３０のＱ反転信号Ｄ２〜Ｄ４がマスク回路２７の関連するセンサ信号入力部に伝送され、マスク回路２７の出力はリセットされる。
【００２６】
以上は待受状態の時にショート検出回路２６が動作した場合を説明したが、例えば第１センサ３が動作して検知信号を出力している状態で、ショート検出回路２６がショートを検出した場合の動作を次に説明する。
まず、第１センサＩＦ２３から「１」が入力されることで、プライオリティエンコーダ２８は表１の真理値表から、出力Ａ０が「１」、出力Ａ１が「０」の信号を出力する。その結果、ＢＣＤデコーダ２９は１番出力端子が「１」を出力し、他の出力端子は「０」を出力し、フリップフロップ回路３０から警報発生信号Ｓ３が出力され、警報音が鳴動する。
【００２７】
この状態で、ショート検出回路２６からショート検出信号が出力されると、プライオリティエンコーダ２８の３番入力端子に「１」が入力される。上述したように、この入力端子は最も優先度が高いため、ＢＣＤデコーダ２９の３番出力端子から「１」が出力され、電源スイッチ回路３２がオフし、カメラ付子機１への電源供給が停止される。また、ＢＣＤデコーダ２９の他の出力端子は直前の状態が維持されるので、警報音の鳴動は継続される。
【００２８】
このように、ショートを検出した場合の制御の優先度が一番高いので、テレビドアホン装置がどんな制御状態であっても、伝送線上でショートが発生したら確実に然も速やかに電源の遮断動作を行う。そして、マスク回路がその信号をマスク処理するので、他の優先順位の低い信号に対しても所定の制御を実施することができる。よって、ショート検出が継続中であって電源の停止制御を継続させながら、センサ動作による警報音の鳴動も実施することができ、いずれの信号に対しても信号に応じた制御を引き続き実施し、セキュリティを維持できる。また、この制御に加えて警報音を停止する復旧操作もＣＰＵを使用せず、フリップフロップ回路等を使用して実施するので安価に構成できる。
【００２９】
尚、上記実施形態では、第１センサＩＦ２３、住警器ＩＦ２５と、２つのセンサ信号を入力可能としたモニタ付親機２について説明したが、センサ接続部は更に多く設けても良く、ショート検出回路２６の検出信号に対して最優先制御を実施するようプライオリティエンコーダ２８を設定すれば、同様の制御を実施できる。
また、ショートを検出した際にも、センサ動作と同様に警報音を報音させても良いし、警報音はモニタ付親機２で発報させるだけでなく、カメラ付子機１において同時に発報させても良い。
【図面の簡単な説明】
【００３０】
【図１】本発明に係るテレビドアホン装置の一例を示す構成図である。
【図２】従来のテレビドアホン装置の構成図である。
【符号の説明】
【００３１】
１・・カメラ付き子機、２・・モニタ付親機、３・・第１センサ、５・・住宅火災警報器、１６・・スピーカ（報音部）、２０・・警報音復旧スイッチ、２６・・ショート検出回路、２７・・マスク回路、２８・・プライオリティエンコーダ、２９・・ＢＣＤデコーダ、３０・・フリップフロップ回路、３１・・電源供給回路、３２・・電源スイッチ回路、Ｌ１・・伝送線。
【図１】
2010109900.tif 000004
【図２】
2010109900.tif 000005